(57)【特許請求の範囲】
【請求項１】
樹脂成型品からなる基体（20）と、前記基体（20）の一方の面に形成されて上方から投入されたコインを転動させるための円弧状の通路と、前記円弧状の通路の上面に添設した金属製のレール（22）と、前記レール（22）と対応してその上方位置に設けた突軸（31）に回転自在にかつ取り外し自在に外装され、かつ外周部全周に前記レールを転動するコインの上縁をガイドするための溝（33）が形成されている樹脂成型品からなるローラ（32）と、
前記円弧状の通路の上流側位置において、当該通路に対し前記レール（22）の上方の位置で出没自在となるように前記基体（20）の前記レール（22）と反対の他方の面に揺動自在に枢軸され、前記通路への突出作動時に投入コインをキャンセル通路（28）へ導く樹脂成型品からなるサブゲート（72）と、
前記円弧状の通路の下流側の位置において、当該通路に対し前記レール（22）の上方の位置で出没自在となるように前記基体（20）の前記サブゲート（72）と同じ面に揺動自在に枢軸され、前記通路への突出作動時に投入コインをキャンセル通路（28）に導くようになると共に、かつ前記通路外への退出作動時には前記サブゲート（72）をも通路外へと連れ動かすように前記サブゲートと係合関係に配置形成されている樹脂成型品からなるゲート（65）と、前記ゲート（65）を作動させるゲート駆動手段（61）と、を備えることを特徴とする転動式コインセレクタ。
【発明の詳細な説明】
【０００１】
【発明の属する技術分野】
本発明は投入されたコインを転がしながら真正か否かを選別するためのコインセレクタに関する。
とくに本発明はパチンコ・スロットいわゆるパチスロなどのゲーム機に使用される転動式コインセレクタに関する。
なお此の明細書に使用される用語「コイン」には通貨である小円板形の硬貨を含むことは勿論である。
また本明細書の用語「コイン」にはゲームに使用される円板形のメダルやトークンなどを含むことは勿論である。
【０００２】
【従来の技術】
従来からメダルゲーム機やパチスロ・マシーン等にはコイン転動式セレクタが使用されている
コイン転動式セレクタは例えば本件出願人による実願平４−２３２４０号に開示されている。
なお実願平４−２３２４０号に記載された転動式セレクタは実開平６−２５９６３号公報によって公開されている。
また実願平４−２３２４０号に記載された転動式セレクタは米国特許５，２９３，９８１号によって特許されている。
【０００３】
実願平４−２３２４０号に開示された転動式セレクタが図１４の斜面図に概略的に示されている。
なお図１４には当該コイン転動式セレクタの断面図も示されている。
図１４に示された転動式セレクタはコインが上部の投入口１に投入される。
投入されたコインは大きなフレーム４の下縁に形成された直線レール７を転がりながら落下する。
コインＡが真正である場合は薄板のガイド１０とドア板５とに挟まれて更に転動が続けられる（図１４の断面図を参照）。
コインＡが真正でなく直径が小さいときにはガイド１０あるいはドア板５から外れて落下する。
【０００４】
コインＡが真正でなく直径が大きいときはガイド１０などに止められて転動しなくなる。
この場合、ドア板５をスプリング（図示略）に抵抗して動かすと枢軸８を介在してアーム１１も動くことになる。
かくしてガイド１０などで止められていたコインは落下する。
【従来の技術】
大幅に改良された転動式セレクタが本件出願人による特願平１０−３２４３５５号に開示されている。
なお特願平１０−３２４３５５号に記載された転動式セレクタは特開２０００−１２３２１７号公報によって公開されている。
【０００５】
特願平１０−３２４３５５号に開示された転動式セレクタの正面図が添付の図１５に概略的に示されている。
なお図１６は図１５を左サイドから見た概略的な断面図である。
特願平１０−３２４３５５号に開示された転動式セレクタは図１６に示された状態で使用される。
すなわち一対のローラ５３と５５によって断面略Ｖ形の小溝５６が形成されて使用される。
この状態においてコインＣがセレクタ上部の開口２１に投入される。
投入されたコインＣは円弧通路２２によってガイドされ転動される（図１５を参照）。
【０００６】
そして当該コインＣが選別される真正コインである場合は円弧通路２２を通過することになる。
すなわち真正コインＣの下縁は円弧通路２２によってガイドされる。
同時に真正コインＣの上縁は一対のローラ５３と５５の小溝５６によってガイドされる。
したがってコインＣが真正コインである場合には円弧通路２２をスムーズに通過することになる。
なお此の実施例では一対のローラ５３と５５は回転自在である。
この結果、真正コインＣはスムーズに且つスピーディに円弧通路２２を通過することになる。
【０００７】
開口２１に投入されたコインが真正でない場合には円弧通路２２を通過しないことになる。
たとえば投入されたコインの直径が小である場合には円弧通路２２を通過しないことになる。
すなわち投入されたコインの直径が小である場合には上方の小溝５６から外れて落下する。
なお直径が小さなコインでも振動していると見かけが大きくなって恰も真正コインのようになる。
この場合にはスプリング５７が作用する（図１６を参照）。
【０００８】
すなわちスプリング５７がコインの振動を吸収することになる。
この結果、直径小のコインは一対のローラ５３と５５から外れて落下する。
開口２１に投入されたコインの直径が大である場合にも円弧通路２２を通過しないことになる。
たとえば直径大のコインの上縁が一対のローラ５３と５５に当たって停止されることになる。
この場合、ドア３１を上方の枢軸３２回りに開閉することによって直径の大きいコインが落下する。
【発明が解決しようとする課題】
【０００９】
しかしながら上述した従来のコイン転動式セレクタは横方向に大きいという問題点があった。
言い換えると従来の転動式コインセレクタは全体的にサイズが大きくなるという問題点があった。
加えて従来の転動式コインセレクタは部品が殆ど金属製であるため重くなるという問題点があった。
本発明は上記の問題点を解消する目的から開発されたものである。
すなわち本発明はセレクタ全体のサイズを出来るだけ小さくすることを目的に開発されたものである。
【００１０】
また本発明は合成樹脂成型品を使用してセレクタ全体を軽量にする目的から開発されたものである。また本発明は選別コインの変更に伴うサイズ変更を簡単にする目的から開発されたものである。
【課題を解決するための手段】
本発明は、樹脂成型品からなる基体と、前記基体の一方の面に形成されて上方から投入されたコインを転動させるための円弧状の通路と、前記円弧状の通路の上面に添設した金属製のレールと、前記レールと対応してその上方位置に設けた突軸に回転自在にかつ取り外し自在に外装され、かつ外周部全周に前記レールを転動するコインの上縁をガイドするための溝（33）が形成されている樹脂成型品からなるローラと、
前記円弧状の通路の上流側位置において、当該通路に対し前記レールの上方の位置で出没自在となるように前記基体の前記レールと反対の他方の面に揺動自在に枢軸され、前記通路への突出作動時に投入コインをキャンセル通路に導く樹脂成型品からなるサブゲートと、
前記円弧状の通路の下流側の位置において、当該通路に対し前記レールの上方の位置で出没自在となるように前記基体の前記サブゲートと同じ面に揺動自在に枢軸され、前記通路への突出作動時に投入コインをキャンセル通路に導くようになると共に、かつ前記通路外への退出作動時には前記サブゲートをも通路外へと連れ動かすように前記サブゲートと係合関係に配置形成されている樹脂成型品からなるゲートと、前記ゲートを作動させるゲート駆動手段と、を備えることを特徴とする転動式コインセレクタとしたものである。
【００１１】
また本発明は、前記ローラが合成樹脂成型品からなって前記基体に取り外し自在に配設されていることを特徴とした転動式コインセレクタである。
【発明の実施の形態】
以下に本発明を其の実施について添付の図面を参照しつつ説明する。図１は本発明による一実施例を正面斜め上から見た概略的な斜面図である。図２は図１の正面図である。図３は図１の実施例を背面斜め下から見た概略的な斜面図である。
【００１２】
図４は図１の背面図である。
図５は図１の実施例の一部を取り除いて示した概略的な斜面図である。
図６は図５の正面図である。
図７は図５を上から見た断面図である。
図８も図５を上から見た断面図である。
本発明の一実施例である転動式コインセレクタは全体が縦形の平箱状態になっている（図１を参照）。
そして本実施例は概略正方形の基体２０上部に概略五角形のカバー体５０が枢軸５１されている。
【００１３】
カバー体５０は中空の合成樹脂成型品から成っておりカバー体５０を取り除いて示したのが図５である。
コインはセレクタの上角部に形成された開口２１から投入される。
なお開口２１の近くにはコインの直径に応じて調整できるガイド片１９がネジ止めされている。
開口２１から投入されたコインは下に湾曲されたレール２２によって出口２４にガイドされる（図５を参照）。
すなわちセレクタの上角部から投入されたコインは最も遠くの下角部に向かって起立転動される。
【００１４】
そしてセレクタの上角部から投入されたコインの転動がストップされると最も近い下角部に落下される。
すなわち開口２１から投入されたコインの転動が阻止されると其の下のキャンセル路２８に落下する。
なお細長い金属製のレール２２は樹脂成型品から成る基体２０に取り外し可能に固定されている。
基体２０の上角部から遠い下角部に向けて下に湾曲された細溝にレール２２が弾力に抗して填め込まれる。
開口２１近くの基体２０には概略扇形の少し大きな窪みをもつ窓２３が開口されている（図６を参照）。
【００１５】
そして此の窓２３の下縁部には少し大きな概略十字形のキャンセル体２５が２６で枢軸されている（図３を参照）。
なおキャンセル体２５の一横端部である三日月片２５Ｍは窓２３を開閉するように配置されている。
樹脂成型品のキャンセル体２５は装置内で詰まったコインを取り外してキャンセルするためのものである。
またキャンセル体２５のＬ形になる上端部２５Ｔ先端には突起２５Ｐが形成されている（図９を参照）。
この突起２５Ｐはカバー体５０をスプリングに抗して開閉するための操作片として使用される。
【００１６】
なおキャンセル体２５の上端部２５Ｔは基体２０に溝付き角ケース２５Ｃ内にほぼ入れられている。
扇形の窓２３の要位置である基体２０には金属製の突軸３１がカバー体５０に向けて固定されている。
また図３上部に示される概略Ｌ形の２７は適宜に配設される樹脂成型品のキャンセルレバーである。
このキャンセルレバー２７は突軸３１の外端に回転自在に外装されている。
なお此のレバー２７を突軸３１まわりに回転するとキャンセル体２５が枢軸２６中心に回転される。
【００１７】
この結果、窓２３がキャンセル体２５の三日月片２５Ｍによって開閉される。
突軸３１の内端部には樹脂成型品のローラ３２が回転自在かつ取り外し自在に外装されている。
そして此のローラ３２の外端部全周に断面概略Ｕ形の溝３３が形成されている（図５を参照）。
この溝３３はレール２２を転動する起立コインの周囲縁上部をガイドするためのものである。
なお溝３３の外サイドの頂面は傾斜面に形成されている。
コインの外縁がローラ３２の溝３３にガイドされるようにするためである。
【００１８】
さきに述べたようにカバー体５０は中空の概略五角形の樹脂成形品によって形成されている。
またカバー体５０の上部は枢軸５１とスプリングによって基体２０の上部に開閉自在に取り付けられている。
さらにカバー体５０には少し小さなＪ形の押し付け片５３が各上部にて枢軸５５されている（図２の右サイドを参照）。
樹脂成形品の押し付け片５３はカバー体５０を揺動自在に貫通している。
この押し付け片５３は通過するコインを基体２０に軽く押し付けてコインの振動を吸収する。
【００１９】
したがって小さなスプリング５６がカバー体５０と押し付け片５３との間に配置されている（図２を参照）。
枢軸５５には更に少し大きなΓ形の押さえ片５７が揺動自在に垂下されている。この樹脂成形品の押さえ片５７は其の突起５４によってローラ３２を基体２０に軽く押さえる。
言い換えると押さえ片５７中央部の突起５４によってローラ３２は正確に位置決めされている。
したがって押さえ片５７とカバー体５０との間には小さなスプリング５８が配置されている（図２を参照）。
【００２０】
また長手の押さえ片５７は此のスプリング５８によってカバー体５０から自由にになっている。
すなわちキャンセル時などにカバー体５０が開閉されても押さえ片５７は静止している。
かくしてカバー体５０が開閉されても押さえ片５７によってコインはキャンセル路２８にガイドされる。
またカバー体５０の中央部内側には小さな球面体５９が配置されている（図２を参照）。
この球面体５９は基体２０に対して接離可能に配設されている。
【００２１】
球面体５９は真正コインの厚みに対応したコイン通路の幅を調整するために使用される。
図３の左下部に示される小さな矩形体はソレノイド６１である。
ソレノイド６１のプランジャには長円形の小さなリンク６２が枢着されている。さらに此のリンク６２の先端部には縦軸６３が枢着されている。
そして縦軸６３の下端部には合成樹脂成型品から成る概略Ｆ形のゲート６５が固定されている。
またゲート６５の下元端部は基体２０に枢軸６６されている（図４を参照）。
このゲート６５の上先端部６７はレール２２の上方に突出自在である（図７と図８を参照）。
【００２２】
前記の枢軸２６には更に概略弓形のサブゲート７２が枢着されている（図３を参照）。
なお樹脂成型品のサブゲート７２とキャンセル体２５との間には小さなスプリング（図示略）が配置されている。
そしてＦ形ゲート６５の中央片はサブゲート７２の元端部７１と接触自在になっている。
かくしてソレノイド６１がオンされるとスプリングに抗してゲート６５が枢軸６６を中心に回動される。
この結果、ゲート６５の上先端部６７はレール２２の上方から離れる（図７を参照）。
【００２３】
同時にゲート６５の中央片がサブゲート７２の元端部７１と接触して当該サブゲートを移動する（図７の鎖線を参照）。
かくして投入されたコインはゲート７２と６７に阻止されることなくレール２２を通過することになる。
すなわちソレノイド６１がオンのときはコインはレール２２を転動して出口２４にガイドされる。
なお出口２４にガイドされたコインは例えば金庫（図示略）内に収納される。
ソレノイド６１がオフにされるとスプリングが作用してゲート６５が枢軸６６を中心に回動される。
【００２４】
この結果、ゲート６５の上先端部６７はレール２２の上方に位置する（図８を参照）。
同時にゲート６５の中央片がサブゲート７２の元端部７１から離れる。
サブゲート７２は自由になってスプリング（図示略）の作用によりレール２２の上方に位置する。
かくして開口２１から投入されたコインはサブゲート７２によってキャンセル路２８にガイドされる（図５を参照）。
したがってゲート６５の上先端部６７はコインによって損傷されることが無い。また投入されたコインがサブゲート７２の位置を通過していたときにキャンセルされる場合がある。
【００２５】
この場合でもゲート６５の上先端部６７によってコインは確実にキャンセル路２８にガイドされる。
すなわちソレノイド６１がオフのときはレール２２を動く真正コインもストップされて落下する。
またレール２２の下端部近くにはコイン計数用のセンサＳが適宜に配置されている（図６を参照）。
これらのセンサＳはレール２２を通過するコインを例えば磁気的に或いは光学的に検出する。
【実施例】
【００２６】
上述の構成からなる本実施例の転動式セレクタは通常、ソレノイド６１をオンにして使用する。
すなわちゲート６５の上先端部６７とサブゲート７２をレール２２の上方から取り除いて使用する（図７を参照）。
上記の状態においてコインが開口２１に投入されるとコインはレール２２に沿って起立転動する。
かくして起立転動するコインが真正の場合にはレール２２を通り抜ける。
すなわちコインが選別されるコインである場合にはレール２２を通り抜ける。
転動するコインの下縁はレール２２によって其の上縁はローラ３２の溝３３によってガイドされる（図５を参照）。
【００２７】
したがってコインが真正の場合にはレール２２をスムーズに通過して更に下方に転動することになる。
なお此の場合、ローラ３２は回転自在であるから真正コインはスムーズかつスピーディに通過する。
したがってスプリング５６と５８は弱い弾力性のものが望ましいことは勿論である（図２を参照）。
なお開口２１に投入されたコインが真正ではなく直径が小である場合にはレール２２を通過しない。
この場合、コインの下縁はレール２２によってガイドされるものの其の上縁はガイドされない。
【００２８】
したがって直径小のコインはレール２２を外れてカバー体５０内すなわちキャンセル路２８に落下される。
なお直径が小さなコインでも振動していると見かけ上、直径が大きくなって恰も真正コインのようになる。
この場合はスプリング５６が作用してコインの振動を吸収することになる。
かくしてコインの直径が小の場合はローラ３２から外れて確実にキャンセルされることになる。
開口２１に投入されたコインが真正ではなく直径が大である場合も長いレール２２を通過しない。
【００２９】
直径大のコイン下縁はレール２２によってガイドされるものの当該コインの上縁はローラ３３に当たる。
言い換えるとコインの直径が大の場合はレール２２とローラ３２との間に詰まりって転動しなくなる。
この場合、キャンセル体２５を枢軸２６中心に動かすことによってコインはキャンセル路２８に落下される。
すなわちキャンセル体２５の操作によって三日月板２５が動かされる。
同時に操作片２５Ｐを介在してカバー体５０が開閉される。
なお本実施例ではローラ３２の溝３３のガイド傾斜面が一個であるが二個にしても良いことは勿論である。
【００３０】
また本実施例において選択コインを変更する場合は、ローラ３２を取り替えるだけで行え得る。
たとえば選択コインの直径を変更する場合、ローラ３２の取り替えによって行え得ることは勿論である。
また選択コインの厚みを変更する場合にも、ローラ３２の取り替えによって行え得ることは勿論である。
またソレノイド６１は使用時にオンにされてトラブルがあるとオフにされ得ることは勿論である。
この場合、開口２１に投入されたコインが真正であってもキャンセルされることは勿論である。
【００３１】
【実施例】
図９は本発明による第二の実施例を概略的に示す正面図である。
図１０は図９を分解して示す斜面図である。
なお図中の符号は図１から図８にかけて使用された符号が使用されている。
すなわち第二の実施例の部分が第一の実施例と同じである部分には同じ符号が使用されている。
この第二実施例の特徴は図面から明らかなように概略尾鰭形のシュート体１０である。
このシュート体１０は少し弾力がある合成樹脂成型品から成って基体２０に取り付け自在である。
【００３２】
なおシュート体１０は基体２０の出口２４から放出されるコインを所望位置にガイドするために使用される。
シュート体１０は大きく分けると底板部９と此の底板部９に起立連成されるガイド板部７とからなる。
細長い底板部９は開口２４側のレール２２と面一に成るように斜めに形成されている（図９を参照）。
少し長いガイド板部７は底板部９の一サイドに起立連成され其の下端部は湾曲されている。
そしてガイド板部７の上端部には連結手段を構成する一対の雄部６が連成されている。
【００３３】
各雄部６はそれぞれ中空の三角台錐形を形成するような一対のガイド片５を有している。
さらに各雄部６はそれぞれ一対のガイド片５の間に少し小さなＬ形のフック片３を有している（図１０を参照）。
なお此等のガイド片５とフック片３はそれぞれ弾力を有している。
上述の連結手段を構成する一対の雌部は基体２０の出口２４近くにそれぞれ形成されている。
各雌部はそれぞれ一対のガイド片５を受け入れるための台形の孔１２を有している。
【００３４】
そして各雌部はそれぞれ挿入される一対のガイド片５をガイドするための一対のテーパ壁１３を有している。
さらに各雌部はそれぞれ雄部６を抜け止め保持するためのストッパ壁１５を有している。
かくしてシュート体１０を基体２０に取り付ける場合には先ず各雄部６を各孔１２内に挿入する。
具体的には中空の錐形状になる一対のガイド片５が弾力に抗して台形の孔１２内に挿入される。
したがってシュート体１０は表裏を考慮することなく基体２０に正確に取り付けられ得る。
【００３５】
つぎにシュート体１０を基体２０に押し付けながらフック片３の先端部を押さえて孔１２内に入れる。
言い換えるとシュート体１０を押しつつフック片３の先端部を弾力に抗して孔１２内に入れる。
フック片３の先端部が孔１２内に入れられると雄部６のほぼ全体が孔１２内を貫通する。
かくして孔１２内を通り抜けたフック片３が弾性の復元力によりストッパ壁１５に掛け止められる。
すなわちフック片３がストッパ壁１５に引っ掛かってシュート体１０は基体２０から抜け止めになる。
【００３６】
シュート体１０を基体２０から取り外す場合には先ずシュート体１０を基体２０から離すように維持する。
この状態でフック片３の先端部を弾力に抗して押し下げる。
言い換えるとフック片３の先端部を押し下げつつストッパ壁１５から外して孔１２内に入れる。
フック片３の先端部が孔１２内に入ると雄部６は雌部からスムーズに離れる。
この結果、シュート体１０は基体２０から取り外される（図１０を参照）。
【実施例】
図１１は本発明による第三の実施例を概略的に示す正面図である。
【００３７】
図１２は図１１を右サイド少し下からみた概略的な断面図である。
図１３は上記第三実施例の要部を示す斜面図と正面図である。
なお図中の符号は図１から図８にかけて使用された符号が使用されている。
すなわち第三の実施例の部分が第一の実施例と同じである部分には同じ符号が使用されている。
この第三実施例の特徴は概略屋根形のプリズムである（図１３を参照）。
このプリズムは透明な合成樹脂成形品から成り矩形薄板の取り付け板部Ｐ０を有する。
取り付け板部Ｐ０の一端部には端面が概略直角三角形になる第一の反射部Ｐ１が連成されている。
【００３８】
さらに第一反射部Ｐ１の先縁部には端面が概略直角三角形になる第二の反射部Ｐ２が連成されている。
言い換えると矩形の取り付け板部Ｐ０中央部上方に屋根形の第二反射部Ｐ２が位置されている。
すなわち取り付け板部Ｐ０の上に通路ＰＳを介在して屋根形の第二反射部Ｐ２が位置されている。
プリズム取り付け板部Ｐ０は少し大きな電子回路の基板体ＣＢ上に弾力に抗して取り付けられる（図１６を参照）。
基板体ＣＢは其の表面に三個の発光素子ＬＥと三個の受光素子Ｒ１、Ｒ２、Ｒ３を露呈している。
【００３９】
これら三個の発光素子ＬＥはそれぞれ第一反射部Ｐ１に光りを放射する。
各発光素子によって放射された光りはそれぞれ先ず第一反射部Ｐ１によって反射される。
第一反射部Ｐ１によって反射された光りは更に第二反射部Ｐ２によって反射される。
第二反射部Ｐ２によって反射された各光りはそれぞれ通路ＰＳを通過する。
通路ＰＳを通過して各光りはそれぞれ受光素子Ｒ１、Ｒ２、Ｒ３によって検知される。
なおプリズムをもつ基板体ＣＢはローラ３２後方の基体２０に弾力に抗して取り付けられる（図１１を参照）。
【００４０】
レール２２を上方から起立転動して来る真正コインは其の上縁が通路ＰＳを通過することになる。
真正コインが通路ＰＳを通過するときはコイン計数用の二個の受光素子Ｒ１とＲ２を通り抜ける。
第三の受光素子Ｒ３は悪戯などによる不正防止に使用される。
この第三受光素子Ｒ３が何かを検知すると例えば当該セレクタを設置した装置（図示略）がストップされる。
またプリズム付きの基板体ＣＢの下に示される長いＺ形のものは不正防止用の金属板ＭＴである。
【００４１】
この金属板ＭＴは其の上端部がプリズムの通路ＰＳを形成するように固定されている（図１２を参照）。
金属板ＭＴはキャンセルなどでカバー体５０が開かれたときに通路ＰＳ近くに空間が出来るのを防止する。
言い換えると金属片ＭＴを設置してコイン計数用受光素子Ｒ１とＲ２が外部から悪戯されないようにする。
【発明の効果】
上述したように本発明は簡単な構成を組み合わせるだけでセレクタ全体のサイズを小型化できる。
【００４２】
また本発明は簡単な構成を組み合わせるだけでセレクタ全体を軽量化できることになる。
また本発明によるとコインガイド用のローラを取り替えるだけで簡単に選別コインのサイズを変更できる。
また本発明によるとレールを取り外しできるため汚れが生じても簡単に取り替えることが出来る。
【図面の簡単な説明】
【図１】図１は本発明による一実施例を正面斜め上から見た概略的な斜面図である。
【図２】図２は図１の正面図である。
【図３】図３は図１の実施例を背面斜め下から見た概略的な斜面図である。
【図４】図４は図１の背面図である。
【図５】図５は図１の実施例の一部を取り除いて示した概略的な斜面図である。
【図６】図６は図５の正面図である。
【図７】図７は図５を上から見た断面図である。
【図８】図８も図５を上から見た断面図である。
【図９】図９は本発明による第二の実施例を概略的に示す正面図である。
【図１０】図１０は図９を分解して示す斜面図である。
【図１１】図１１は本発明による第三の実施例を概略的に示す正面図である。
【図１２】図１２は図１１を右サイド少し下からみた概略的な断面図である。
【図１３】図１３は上記第三実施例の要部を示す斜面図と正面図である。
【図１４】図１４は従来例を示す斜面図と其の断面図である。
【図１５】図１５は第二の従来例を概略的に示す正面図である。
【図１６】図１６は図１５を左サイドからみた概略的な断面図である。
【符号の説明】
２０：基体。
２２：レール。
３２：ローラ。
３３：溝。
【図１】
0004258751.tif 000002
【図２】
0004258751.tif 000003
【図３】
0004258751.tif 000004
【図４】
0004258751.tif 000005
【図５】
0004258751.tif 000006
【図６】
0004258751.tif 000007
【図７】
0004258751.tif 000008
【図８】
0004258751.tif 000009
【図９】
0004258751.tif 000010
【図１０】
0004258751.tif 000011
【図１１】
0004258751.tif 000012
【図１２】
0004258751.tif 000013
【図１３】
0004258751.tif 000014
【図１４】
0004258751.tif 000015
【図１５】
0004258751.tif 000016
【図１６】
0004258751.tif 000017